(57)【要約】      （修正有）【課題】バー支持具の固定方法を簡便に行えるようにするとともに、その固定も強固に行えるようにする【解決手段】ａとａ′二片の部材を合わせて一体的に形成され、中央部１には支柱Ｃ挿通用の孔３を有し、一方端にはバー載置用の平坦状を呈する受部２を備え、他端部にはグリップ用の孔４が設けられているカバー体を兼ねるバー支持具Ａと、  ｂとｂ′の二片で形成され、本体１１の略中央部には、支柱Ｃ挿通用の孔が貫設され、該部材の一方端の間に発条１４を介在させ、他端部には、グリップ１２を取付けるとともに、発条１５を介装させたピン１３を、この部材間に設けたスライド金具Ｂとから構成し、  さらに、ｂとｂ′の二片の部材で形成されたスライド金具Ｂを、ａとａ′の二片の部材を合わせて一体的に形成されたバー支持具Ａに収め、支柱Ｃに上下動自在に取付けたことを特徴としている。【選択図】  図４
2006087857.tif 000002
【特許請求の範囲】
【請求項１】
ａとａ′二片の部材を合わせて一体的に形成され、中央部１には支柱Ｃ挿通用の孔３を有し、一方端にはバー載置用の平坦状を呈する受部２を備え、他端部にはグリップ用の孔４が設けられているカバー体を兼ねるバー支持具Ａと、
ｂとｂ′の二片の部材で形成され、本体１１の略中央部には、支柱Ｃ挿通用の孔が貫設され、該部材の一方端の間に発条１４を介在させ、他端部には、グリップ１２を取付けるとともに、発条１５を介装させたピン１３を、この２片の部材間に設けたスライド金具Ｂとから構成されたことを特徴とする高跳び競技用バー支柱。
【請求項２】
ｂとｂ′の二片の部材で形成されたスライド金具Ｂを、ａとａ′の二片の部材を合わせて一体的に形成されたバー支持具Ａに収め、支柱Ｃに上下動自在に取付けられる請求項１記載の高跳び競技用バー支柱。
【発明の詳細な説明】
【技術分野】
【０００１】  本発明は、陸上競技の高跳び競技に用いられるバー支柱に関するものであって、バーを所望の位置に固定するバー支持台の移動が簡便に行え、且つその固定が強固な支柱を提供するものである。
【背景技術】
【０００２】  一般的な高跳び競技用バー支柱は、図５に示したように、台座７７に下管２２を着脱自在に植設して、この下管に、バー６６の支持具５５を取付けた上管３３を上下動自在に嵌挿し、該上管を所望位置にボルト等の締め具４４で固定するものであった。
【発明が解決しようとする課題】
【０００３】  したがって、説明の従来品におけるバー支持具の固定方法は、ボルト等の点によるものであったため、例えば、競技者が跳躍に失敗して支柱を倒したりすると、固定が外れたり或いは緩んだりすることがしばしばであった。その上、バーの位置を何回も何回も上下して調整しなければならない学校等での使用の場合、その都度ボルトを緩めたり締めたりと、煩雑な作業が求められていた。
そこで、バー支持具の固定方法に本発明を採用して、簡便に行えるようにするとともに、その固定方法を点による方法から、固定強度が向上する面での方法に替え、強固に行えるようにするものである。
【課題を解決するための手段】
【０００４】  本発明は前記目的を達成するため、ａとａ′二片の部材を合わせて一体的に形成され、中央部１には支柱Ｃ挿通用の孔３を有し、一方端にはバー載置用の平坦状を呈する受部２を備え、他端部にはグリップ用の孔４が設けられているカバー体を兼ねるバー支持具Ａと、
ｂとｂ′の二片で形成され、本体１１の略中央部には、支柱Ｃ挿通用の孔が貫設され、該部材の一方端の間に発条１４を介在させ、他端部には、グリップ１２を取付けるとともに、発条１５を介装させたピン１３を、この二片の部材間に設けたスライド金具Ｂとから構成され、
ｂとｂ′の二片で形成されたスライド金具Ｂを、ａとａ′の二片の部材を合わせて一体的に形成されたバー支持具Ａに収め、支柱Ｃに上下動自在に取付けて課題解決の手段としている。
【発明を実施するための最良の形態】
【０００５】  本発明実施の形態を実施例に基づき、図面を参照して説明する。
本発明は主要な二つの部材で構成されていて、
図１並びに図２は、その部材の一つであるバー支持具Ａを示し、該支持具Ａは、後記説明のもう一つの主要部材であるスライド金具Ｂのカバー体をも兼ねるもので、ａとａ′の二片の部材を合わせて一体的として形成されていて、その中央部１には支柱Ｃ挿通用の孔３を有し、一方端にはバー載置用の平坦状を呈する受部２を備え、他端部には後記説明のグリップ用の孔４が設けられている。【０００６】  図３は、本発明を構成する主要部材のもう一つの部材、スライド金具Ｂを示していて、この金具Ｂは、ｂ並びにｂ′の二片の部材で形成され、これにカバー体を兼ねた前記説明のバー支持具Ａが取付けられ、支柱Ｃに上下動自在に設けられる。【０００７】  該スライド金具Ｂを形成している二片の部材ｂとｂ′とは同様な形状を呈していて、本体１１の略中央部には、支柱Ｃ挿通用の孔が貫設され、一方端の部材間には発条１４を介在して部材ｂとｂ′は連結されるとともに、本体１１から顕著な立ち上り形状を呈している他端部には、グリップ１２が設けられていて、この立ち上り形状部位より支柱Ｃ挿通用の孔寄りに、発条１５を介装着させたピン１３を部材ｂとｂ′間に備えられる。【０００８】  図４は、図３のスライド金具Ｂに図１並びに図２で説明のバー支持具Ａが取付けられ、支柱Ｃに取付けられた本発明を示している。
尚、図中、バー支持具Ａを形成している二片の内、１片ａ′を取外した状態で説明している。【０００９】  スライド金具Ｂはバー支持具Ａの内部に収納される形で収まっていて、金具Ｂのグリップ１２のみがバー支持具Ａ端部の孔４から露出している。【００１０】  バー支持具Ａ内に収まったスライド金具Ｂは、その構成部材ｂ，ｂ′の両端部に、発条１４、１５を二片間に介装して形成しているので、常時片仮名のハ字形状を呈して支柱Ｃに固定されている。即ち、二片の構成部材ｂ，ｂ′がそれぞれ支柱Ｃに自在鉤の状態を成していて、その固定状態は従来品に比し極めて強固なものとなっている。【００１１】  本発明において、バーを所望する位置に固定する時は、上下２体のグリップ１２を図中で矢印に示した方向に互いを寄せれば、二片の構成部材であるｂ，ｂ′の状態を変化させ、二片は片仮名二字状の平行状態となり、支柱Ｃとの固定状態が解かれるので、バー支持具は図中矢印で示したように上下動自在となる。【００１２】  また、所望する位置に移動したバー支持具の固定方法は、移動するときに指で挟み互いを寄せていたグリップ１２を、所望する位置で離せば、
スライド金具Ｂ二片の部材、ｂ，ｂ′間に介装してある発条１５の反発力で瞬時に前記説明の片仮名ハ字形状を成し、支柱Ｃに固定される。
【発明の効果】
【００１３】  本発明は以上説明のように、バー支持具Ａとスライド金具Ｂとの主要な二つの要素から構成されていて、バー支持具Ａは、ａとａ′との二つの部材から形成され、この二片は合体されて一体的を成し、端部にバー受部２を備え、中央部には支柱Ｃ用の孔を他端部にはグリップ用の孔４を有している。
スライド金具Ｂはｂとｂ′の二つの部材から形成され、この二つの部材間の両端部寄りに、発条１４と１５とを介装するとともに、一方端にはグリップ１２が設けられ、前記要素のバー支持具Ａに収められて支柱Ｃに上下動自在に設けられる。
【００１４】  したがって本発明によれば、スライド金具Ｂを形成している二つの部材であるｂとｂ′は、自在鉤の如く支柱Ｃに対し片仮名ハ字形状を呈して取付けられるので、その固定は強固で競技者の跳躍の失敗でバー支持具の固定位置が移動するなどとゆうことが発生しない。
一方、バーの位置を変更す場合は、グリップ１２をつまんで上下から押せば、ハ字形状は変化して、片仮名二字状に二部材は平行状態となって支柱との固定状態は開放され、上下動自在となるので所望位置に移動することができる。
所望位置に移動されたバー支持具は、上下から押されていたグリップ１２を離せば、スライド金具の二片は瞬時に先のハ字形状を呈して支柱Ｃに固定される。このように、固定の強固なこと、バーの位置変更が容易なこと、位置を変更した後の固定が瞬時に且つ移動前と変わらず強固に行えること等、従来品では到底得られなかった数々の効果が得られる。
【図面の簡単な説明】
【図１】本発明を構成する主要な要素のバー支持具を示す図である。
【図２】図１の側面図である。
【図３】本発明を構成する主要な要素のスライド金具を示す図である。
【図４】バー支持具にライド金具を収め、バー支持具の内、Ｉ片を外した状態で支柱との上下動の作動を説明する図である。
【図５】代表的な従来品を説明する図である。
【符号の説明】
Ａバー支持具
１中央部      ２受部      ３支柱用孔      ４グリップ用孔
Ｂスライド金具
１１本体      １２グリップ      １３ピン      １４発条      １５発条
【図１】
2006087857.tif 000003
【図２】
2006087857.tif 000004
【図３】
2006087857.tif 000005
【図４】
2006087857.tif 000006
【図５】
2006087857.tif 000007